(57)【要約】【課題】縦型の貯湯タンク内で該当する温度の温水層から選択的に温水を押し出し、戻して熱交換器に循環することで、貯湯タンクの最適な温度層へ熱入力でき、高温の温水がすぐに使用できると共に、熱出力に際して最適な温度の温水を選択的に利用する。【解決手段】貯湯タンク２の下部に、上方へ向けて設けられた伸縮自在になる下側伸縮パイプ４の先端口を上下させ、異なる温度の温水層の温水を、加熱器を内蔵した熱交換器３に循環させ熱交換する熱交換方法であり、貯湯タンク２内の温水を熱交換器３に循環させ、加熱器で加熱するときに、下側伸縮パイプ４の先端口を、貯湯タンク２の該当する温度の温水層に移動させ、そこの温水を選択的に押し出し循環させることにより、貯湯タンク２内の温水を部分的に加熱する。【選択図】図１
2011220588.tif 000002
【特許請求の範囲】
【請求項１】
貯湯タンク（２）の下部に、上方へ向けて設けられた伸縮自在になる下側伸縮パイプ（４）の先端口を上下させ、異なる温度の温水層の温水を、加熱器（１７）を内蔵した熱交換器（３）に循環させ熱交換する熱交換方法であって、
前記貯湯タンク（２）内の温水を前記熱交換器（３）に循環させ、前記加熱器（１７）で加熱するときに、
前記下側伸縮パイプ（４）の先端口を、該貯湯タンク（２）の該当する温度の温水層に移動させ、そこの温水を選択的に押し出し循環させることにより、該貯湯タンク（２）内の温水を部分的に加熱する、ことを特徴とする加熱器内蔵の熱交換器を備えた電気温水器の熱交換方法。
【請求項２】
貯湯タンク（２）の上下部に設けられた伸縮自在になる上側伸縮パイプ（１６）と下側伸縮パイプ（４）の先端口をそれぞれ上下させ、異なる温度の温水層の温水を、加熱器（１７）を内蔵した熱交換器（３）に循環させ熱交換する熱交換方法であって、
前記貯湯タンク（２）内の温水を前記加熱器（１７）で外部熱を入力すると同時に、前記熱交換器（３）の温水を浴槽（７２）の追い焚き、または床暖房（７３）の熱源に利用するときに、
前記下側伸縮パイプ（４）の先端口を、該貯湯タンク（２）の該当する温度の温水層に移動させ、そこの温水を選択的に押し出し循環させ、前記上側伸縮パイプ（１６）の先端口を、該貯湯タンク（２）の該当する温度の温水層に移動させ、その温水層に熱交換後の加熱された温水を選択的に戻すように循環させる、ことを特徴とする加熱器内蔵の熱交換器を備えた電気温水器の熱交換方法。
【請求項３】
貯湯タンク（２）の上下部に設けられた伸縮自在になる上側伸縮パイプ（１６）と下側伸縮パイプ（４）の先端口をそれぞれ上下させ、異なる温度の温水層の温水を、加熱器（１７）を内蔵した熱交換器（３）に循環させ熱交換する熱交換方法であって、
前記貯湯タンク（２）内に熱交換に利用できる温度の温水が充分に確保できずに、浴槽（７２）の追い焚き、または床暖房（７３）を利用するときに、
前記上側伸縮パイプ（１６）の先端口を上げ、該貯湯タンク（２）の高温水を熱交換器（３）に押し出し、前記下側伸縮パイプ（４）の先端口を上げ、該貯湯タンク（２）の高温水層に選択的に戻すように温水を循環させる同時に、
前記熱交換器（３）に前記加熱器（１７）で外部熱を入力することにより、前記浴槽（７２）の追い焚き、または前記床暖房（７３）を加熱する、ことを特徴とする加熱器内蔵の熱交換器を備えた電気温水器の熱交換方法。
【請求項４】
縦長に形成した貯湯タンク（２）と、
前記貯湯タンク（２）の下部に設けた、上方へ伸縮する下側伸縮パイプ（４）と、
前記下側伸縮パイプ（４）と前記貯湯タンク（２）上部の上部口とに接続され、該貯湯タンク（２）の外部に設けられた熱交換器（３）と、
前記熱交換器（３）内に設けた、外部の熱を入力する加熱器（１７）と、を備えた、ことを特徴とする加熱器内蔵の熱交換器を備えた電気温水器。
【請求項５】
前記貯湯タンク（２）の上部に、下方へ伸縮する上側伸縮パイプ（１６）を、更に備えた、ことを特徴とする請求項４の加熱器内蔵の熱交換器を備えた電気温水器。
【発明の詳細な説明】
【技術分野】
【０００１】
本発明は、集合住宅又は戸建住宅等に設置される縦型の貯湯タンクを有する電気温水器に係り、特に熱交換器を用いて貯湯タンク内のそれぞれの温度の温水を有効に利用する加熱器内蔵の熱交換器による熱交換方法及び電気温水器に関する。
【背景技術】
【０００２】
貯湯タンク式の電気温水器は、電気料金の安い夜間電力を利用して沸かした温水を貯湯タンクに貯蔵しておき、昼間の使用ピーク時にその温水を供給するものである。このような電気温水器は住宅用に多く用いられている。
【０００３】
従来の縦型の貯湯タンク式電気温水器５１は、図６に示すように、縦長に形成された堅牢な鋼板製の貯湯タンク５２と、外部発熱体５３とを備えたものである。外部発熱体５３は貯湯タンク５２の上部口５４と下部口５５に連結されている。その給湯温度は、サーモスタットにより一定に維持するようになっている。貯湯タンク５２には、その上部に給湯口５６を、下部に給水口５７をそれぞれ設けている。貯湯タンク５２から外部発熱体５３には温水をポンプ５８で循環させる構成になっている。
【０００４】
また、図７に示す貯湯タンク式電気温水器６１は、貯湯タンク６２内部の発熱体６３の他に外部に熱交換器６４を備えたものである。熱交換器６４は貯湯タンク６２の上部口６５と下部口６６に連結されている。この熱交換器６４は、例えば貯湯タンク６２内の高温度の温水をポンプ６７で循環させ、浴槽の冷めた温水と循環させて浴槽の追い焚き、または床暖房の熱源として利用する。更に、この熱交換器６４を利用してヒートポンプ６８で貯湯タンク６２の温水を循環加熱する。この貯湯タンク６２には、その上部に給湯口６９を、下部に給水口７０をそれぞれ設けている。
【０００５】
電気温水器に熱交換器を備えた技術としては、例えば特許文献１の特開２００４−１４４３６６号公報「温水熱交換器内蔵型貯湯タンクユニット」のように、湯を貯める貯湯タンクと、この貯湯タンクと接続し、内部に温水を循環させる第１熱交換パイプと第２熱交換パイプを有し、この第１熱交換パイプと第２熱交換パイプの両方、あるいはどちらか一方で浴槽水の加熱を行う温水熱交換器と、この温水熱交換器内に貯湯タンク内の湯を循環させる循環ポンプと、前記温水熱交換器に浴槽水を循環させる風呂循環ポンプとを備え、前記第１熱交換パイプの１次側あるいは２次側の少なくともどちらか一方はコイル状に巻いた部分を有し、なおかつ１次側あるいは２次側のどちらか一方はコイル状に巻いた部分の内側を通るようにし、第２熱交換器の１次側と２次側の少なくともどちらか一方はコイル状に巻いた部分を有し、なおかつ１次側あるいは２次側のどちらか一方はコイル状に巻いた部分の内側を通るようにし、なおかつ１次側と２次側は共に第１熱交換器のコイル状に巻いた部分の内側を通る構成とした温水熱交換器内蔵型貯湯タンクユニットが提案されている。
【特許文献１】特開２００４−１４４３６６号公報
【発明の開示】
【発明が解決しようとする課題】
【０００６】
しかし、図６に示すような電気温水器５１では、貯湯タンク５２内の温水を加熱するときは、貯湯タンク５２の下部から低温の温水を外部発熱体５３に押し出して熱交換し、この温水を貯湯タンク５２の上部に戻す。また、図７に示すような電気温水器６１でも、貯湯タンク６２内の温水を加熱するときは、同様に貯湯タンク６２の下部から低温の温水を熱交換器６４に押し出して熱交換し、この温水を貯湯タンク５２の上部に戻す。そこで、
電気温水器５１又は電気温水器６１の何れも高温の温水を使用したいときに、すぐに使用できないという問題を有していた。
【０００７】
また、特許文献１の「温水熱交換器内蔵型貯湯タンクユニット」は、貯湯タンクの外部に熱交換器を備え、浴槽の温水の追い焚きをする構成であるが、熱交換器に供給する温水と、熱交換後の冷却された温水を戻す位置が固定されているので、高温水層又は中温水層に熱交換後の冷却された温水を戻して混合させる、いわゆる「湯の劣化」が生じやすいという問題を有していた。
【０００８】
本発明は、かかる問題点を解決するために創案されたものである。すなわち、本発明の目的は、縦型の貯湯タンク内で該当する温度の温水層から選択的に温水を押し出し、戻して熱交換器に循環することで、貯湯タンクの最適な温度層へ熱入力でき、高温の温水がすぐに使用できると共に、熱出力に際して最適な温度の温水を選択的に利用できる加熱器内蔵の熱交換器による熱交換方法及び電気温水器を提供することにある。
【課題を解決するための手段】
【０００９】
本発明の熱交換方法は、貯湯タンク（２）の下部に、上方へ向けて設けられた伸縮自在になる下側伸縮パイプ（４）の先端口を上下させ、異なる温度の温水層の温水を、加熱器（１７）を内蔵した熱交換器（３）に循環させ熱交換する熱交換方法であって、前記貯湯タンク（２）内の温水を前記熱交換器（３）に循環させ、前記加熱器（１７）で加熱するときに、前記下側伸縮パイプ（４）の先端口を、該貯湯タンク（２）の該当する温度の温水層に移動させ、そこの温水を選択的に押し出し循環させることにより、該貯湯タンク（２）内の温水を部分的に加熱することを特徴とする。
【００１０】
または、貯湯タンク（２）の上下部に設けられた伸縮自在になる上側伸縮パイプ（１６）と下側伸縮パイプ（４）の先端口をそれぞれ上下させ、異なる温度の温水層の温水を、加熱器（１７）を内蔵した熱交換器（３）に循環させ熱交換する熱交換方法であって、前記貯湯タンク（２）内の温水を前記加熱器（１７）で外部熱を入力すると同時に、前記熱交換器（３）の温水を浴槽（７２）の追い焚き、または床暖房（７３）の熱源に利用するときに、前記下側伸縮パイプ（４）の先端口を、該貯湯タンク（２）の該当する温度の温水層に移動させ、そこの温水を選択的に押し出し循環させ、前記上側伸縮パイプ（１６）の先端口を、該貯湯タンク（２）の該当する温度の温水層に移動させ、その温水層に熱交換後の加熱された温水を選択的に戻すように循環させることを特徴とする。
【００１１】
貯湯タンク（２）の上下部に設けられた伸縮自在になる上側伸縮パイプ（１６）と下側伸縮パイプ（４）の先端口をそれぞれ上下させ、異なる温度の温水層の温水を、加熱器（１７）を内蔵した熱交換器（３）に循環させ熱交換する熱交換方法であって、前記貯湯タンク（２）内に熱交換に利用できる温度の温水が充分に確保できずに、浴槽（７２）の追い焚き、または床暖房（７３）を利用するときに、前記上側伸縮パイプ（１６）の先端口を上げ、該貯湯タンク（２）の高温水を熱交換器（３）に押し出し、前記下側伸縮パイプ（４）の先端口を上げ、該貯湯タンク（２）の高温水層に選択的に戻すように温水を循環させる同時に、前記熱交換器（３）に前記加熱器（１７）で外部熱を入力することにより、前記浴槽（７２）の追い焚き、または前記床暖房（７３）を加熱することを特徴とする。
【００１２】
本発明の電気温水器は、縦長に形成した貯湯タンク（２）と、前記貯湯タンク（２）の下部に設けた、上方へ伸縮する下側伸縮パイプ（４）と、前記下側伸縮パイプ（４）と前記貯湯タンク（２）上部の上部口とに接続され、該貯湯タンク（２）の外部に設けられた熱交換器（３）と、前記熱交換器（３）内に設けた、外部の熱を入力する加熱器（１７）と、を備えたことを特徴とする。
前記貯湯タンク（２）の上部に、下方へ伸縮する上側伸縮パイプ（１６）を、更に備えることが好ましい。
【発明の効果】
【００１３】
本発明の熱交換方法では、貯湯タンク（２）内の最適な温度の温水層から希望する温水を選択的に押し出し、あるいは戻して熱交換器（３）に循環させることにより、この加熱器（１７）を内蔵した熱交換器（３）による貯湯タンク（２）の温水の加熱、浴槽（７２）の追い焚き、又は床暖房（７４）の熱交換ができる。
特に、下側伸縮パイプ（４）の操作により、貯湯タンク（２）の温水を選択的に循環させ、その温水を部分的に加熱することができる。また、熱交換器（３）に加熱器（１７）を内蔵しているので、貯湯タンク（２）内の温水を加熱すると同時に、この熱交換器（３）の温水を浴槽（７２）の追い焚き、または床暖房（７３）の熱源に利用することができる。そこで、貯湯タンク（２）の最適な温度層から各熱機器へ効率よく熱出力ができる。
【００１４】
本発明の電気温水器（１）では、貯湯タンク（２）の外部に、加熱器（１７）を内蔵した熱交換器（３）を設けた構成になり、外部の熱交換器（）を１機備え、これを切り替えて使用することにより、電気温水器（１）周囲に余分なスペースがなくなる。また、従来のように熱機器ごとに熱交換器を設置する必要がないので設備コストが低減できる。
【図面の簡単な説明】
【００１５】
【図１】実施例１の下側伸縮パイプ付き電気温水器を示す正断面図である。
【図２】実施例１の電気温水器による給湯システムを示す全体構成図である。
【図３】実施例２の上下側伸縮パイプ付き電気温水器による給湯システムを示す全体構成図である。
【図４】実施例２の電気温水器による貯湯タンクの温水の焚き上げと同時に熱機器を同時に利用するときの循環系統を示す概略説明図である。
【図５】実施例２の電気温水器による貯湯タンク内の高温水が少ないときに、主に熱交換器の熱出力で熱機器を利用するときの循環系統を示す概略説明図である。
【図６】従来の貯湯タンクの外部に発熱体を備えた電気温水器を示す概略説明図である。
【図７】従来の貯湯タンクの外部に熱交換器を備えた電気温水器を示す概略説明図である。
【発明を実施するための最良の形態】
【００１６】
本発明の加熱器内蔵の熱交換器による熱交換方法は、貯湯タンクに、伸縮自在になる伸縮パイプの先端口を上下させ、異なる温度の温水層の温水を、加熱器を内蔵した熱交換器に循環させ熱交換する方法である。
【実施例１】
【００１７】
以下、本発明の好ましい実施の形態を図面を参照して説明する。
図１は実施例１の下側伸縮パイプ付き電気温水器を示す正断面図である。図２は実施例１の電気温水器による給湯システムを示す全体構成図である。
実施例１の電気温水器１は、縦長に形成した貯湯タンク２と、この貯湯タンク２外部の熱交換器３とを備えている。縦型の貯湯タンク２は、所定量の温水を貯蔵できるように、全体を略円筒形状に形成し、その周囲に真空断熱材等の断熱材を貼り付けたものである。この断熱材は、１３時間放置後の温度低下が２０℃未満を満足する程度の素材が必要である。
【００１８】
この貯湯タンク２は、堅牢な鋼板により製造する。あるいは、合成樹脂製のブロー成型により製造する。例えば、ＰＰＥ（ポリフェノールエチレン）等の合成樹脂材を用いる。
但し、タンクとして常時０．１ＭＰａの耐圧力、常時８５℃から最高１００℃程度の耐熱性能を有する合成樹脂材であれば、このＰＰＥに限定されず他の合成樹脂材に種々変更できる。
【００１９】
貯湯タンク２の下部には、上方へ向けた下側伸縮パイプ４を備えている。この下側伸縮パイプ４は、貯湯タンク２下部に開けた下部口５に接続され、この貯湯タンク２内で上下方向へ伸縮自在になる。
【００２０】
この下側伸縮パイプ４には、熱交換器３が接続され、この熱交換器３は貯湯タンク２の上部に開けた上部口６に接続され、貯湯タンク２内の温水を循環加熱し得るようになっている。この熱交換器３と貯湯タンク２間に、この貯湯タンク２の温水を循環させるタンク側ポンプ７を設けている。
【００２１】
実施例１の下側伸縮パイプ付き電気温水器１では、主にヒートポンプ６８により熱入力を行う構成を示している。その給湯温度は、サーモスタットにより一定に維持するようになっている。縦長に形成された貯湯タンク２には、その上部にキッチン、洗面台、浴槽等に温水を供給する給湯口８を、下部に水道水を補給する給水口９をそれぞれ設けている。なお、図示していないが、このヒートポンプ６８に代えて、ニクロム線等の発熱体で加熱する手段を講じることもできる。
【００２２】
貯湯タンク２内の温水が減少し、昼間に焚き上げをする場合は、貯湯タンク２内上層の高温水層のみを選択的に使用する。そこで、図１に示すように、ヒートポンプ６８で加熱された温水を熱交換器３に循環させ、貯湯タンク２では、下側伸縮パイプ４は上方へ伸ばし、その先端口から貯湯タンク２の高い温水層にある温水を熱交換器３に押し出す。これにより、熱交換器３で熱交換して温度が上昇した温水は貯湯タンク２の高温層に戻すように循環させる。
【００２３】
また、深夜でも焚き上げ量が貯湯タンク２の全量ではない場合、例えば半分の場合では、下側伸縮パイプ４は伸ばして、所定温度より高い温度の高温層の温水のみの熱交換が可能になり、その熱量分の熱エネルギーを節約できる。
【００２４】
このように本発明では、貯湯タンク２内に発熱体を設けることなく、外部熱を利用して貯湯タンク２の温水を加熱する。特に、下側伸縮パイプ４の長さを調節して先端口から選択的に温水を押し出し、貯湯タンク２内の最適な温度の温水層の温水について加熱することができる。例えば、伸ばした下側伸縮パイプ４からは貯湯タンク２の中温層にある温水を熱交換器３に押し出し、熱交換器３で加熱する。このとき、伸ばした下側伸縮パイプ４から貯湯タンク２下部の２０〜３０℃の低い温度の温水を循環させず、中温層の５０〜６０℃の温水を循環加熱させるので早く焚き上げることができる。
【００２５】
なお熱入力の手段は、ヒートポンプ６８、発熱体に限定されず、図２に示すように、太陽熱集熱器７１を組み込むことができる。太陽熱集熱器７１と熱交換器３とは、集熱系統配管１０で連結する。この集熱系統配管１０は、太陽熱集熱器７１で集熱した温水を熱交換器３に循環させる。
【００２６】
一方、熱出力では、例えば、浴槽７２と床暖房７３がある。この浴槽７２と熱交換器３とは、浴槽系統配管１１で連結する。この浴槽系統配管１１は、浴槽７２の温水を追い焚き加熱するときと、浴槽６０の残り湯の廃熱を回収するときに、熱交換器３に各温水を循環させる。また、この浴槽６０には、貯湯タンク２の温水を給湯する配管１２も勿論設備している。勿論貯湯タンク２からキッチン、洗面所に給湯することができる。
【００２７】
床暖房７４と熱交換器３とは、床暖房系統配管１３で連結する。この床暖房系統配管１３は、床暖房７４の熱源として貯湯タンク２の温水を利用するときに、熱交換器３と床暖房７４とに温水を循環させる。
【００２８】
熱交換器３のこれらの浴槽７２、床暖房７３、太陽熱集熱器７１側には、それらの各系統配管１０，１１，１３内を循環させる熱機器側ポンプ１４を備えている。更に、集熱系統配管１０、浴槽系統配管１１及び床暖房系統配管１３にそれぞれ切り替える切り替え弁１５を備えている。
【実施例２】
【００２９】
図３は実施例２の上下側伸縮パイプ付き電気温水器による給湯システムを示す全体構成図である。
実施例２の電気温水器１には、下側伸縮パイプ４の他に、貯湯タンク２の上部に下方へ向けた上側伸縮パイプ１６を備えた。この上側伸縮パイプ１６は、貯湯タンク２に開けた給湯口４に接続され、この貯湯タンク２内で上下方向へ伸縮自在になる。上述したように、下側伸縮パイプ４の長さを調節して選択的に押し出し、貯湯タンク２内の最適な温度の温水層の温水について熱交換器３に循環させ、熱交換器３で加熱する。このとき、伸ばした下側伸縮パイプ４の先端口から貯湯タンク２下部の２０〜３０℃の低い温度の温水ではなく、中温層の３０〜５０℃の温水を循環加熱させるので早く焚き上げることができる。
【００３０】
実施例２の電気温水器１では、熱交換器３で加熱された温水の温度に応じて、８０℃にならない温度の温水でもその該当する温水層に戻すことができる。例えば、縮めた上側伸縮パイプ１６から貯湯タンク２の８０℃の高温層の温水に戻すが、６０〜７０℃の温水のときは、上側伸縮パイプ１６を伸ばして（即ち下降させて）中高温層の温水に戻すように循環させる。これにより、貯湯タンク２の各温水の劣化も防止することができる。
【００３１】
更に、実施例２の電気温水器２１の上側伸縮パイプ１６は、熱出力するときに大きな効果がある。熱出力するときには必ずしも８０℃の高温の温水を利用するとは限らない。例えば、熱出力では、浴槽７２の温水を追い焚き加熱するときと、床暖房７３の熱源に使用するときでは、熱交換器３に使用する温水の温度が同じではない。そこで、貯湯タンク２の８０℃程度の高温層の温水を使用するときは、上側伸縮パイプ１６を縮めて、その先端口から温水を押し出して循環させる。一方、貯湯タンク２の５０〜６０℃の中高温層の温水を使用するときは、上側伸縮パイプ１６を少し伸ばして、その先端口から温水を押し出して循環させる。
【００３２】
図４は実施例２の電気温水器による貯湯タンクの温水の焚き上げと同時に熱機器を同時に利用するときの循環系統を示す概略説明図である。図４と図５の図面において、運転中の循環している系統は、他の系統より太い実線で表示した。
このように下側伸縮パイプ４と上側伸縮パイプ１６を備えた電気温水器１では、必要に応じて、貯湯タンク２の温水を熱交換器３を用いて加熱すると同時に、貯湯タンク２の温水を浴槽７２の温水の追い焚き、床暖房７４の熱源として利用することができる。図４に示すように、貯湯タンク２の温水を焚き上げていると同時に、床暖房７４の熱源に利用するときには、上側伸縮パイプ１６は少し縮め、貯湯タンク２の中温層にある温水を押し出して熱交換器３に循環させる。このとき、熱交換器３にはヒートポンプ６８による加熱器１７で熱入力が加わるので、床暖房７４を充分に加熱することができる。
一方、下側伸縮パイプ４は上方へ少し伸ばし、熱交換器３で熱交換して温度が低下した温水は貯湯タンク２の中高温層に戻すように循環させる。このとき焚き上げ中に熱交換器３の温度が床暖房７４の最低温度、例えば３５℃にならないように、熱機器側ポンプ１４を断続運転する。
【００３３】
図５は実施例２の電気温水器による貯湯タンク内の高温水が少ないときに、主に熱交換器の熱出力で熱機器を利用するときの循環系統を示す概略説明図である。
図５に示すように、貯湯タンク２内に熱交換に利用できる温度の温水が充分に確保できないときに、浴槽７２の追い焚き、または床暖房７３を利用する場合がある。このときは、上側伸縮パイプ１６を縮めて先端口を上げ、貯湯タンク２の高温水を熱交換器３に押し出して熱交換器３に循環させる。一方、下側伸縮パイプ４は伸ばして先端口を上げ、貯湯タンク２の高温水層に選択的に戻すように温水を循環させ、貯湯タンク２の高温の温水のみを利用すると同時に、熱交換器３に加熱器１７で外部熱を入力する。これにより、浴槽７２の追い焚き、または床暖房７３を充分に加熱することが可能になる。必要に応じて貯湯タンク２の温水を利用せず、加熱器１７の外部熱入力のみを利用する運転も可能である。
【００３４】
このように本発明の熱交換方法では、貯湯タンク２内の最適な温度の温水層から希望する温度の温水について伸縮パイプ４，１６を長さ調節して選択的に押し出して熱交換する。例えば、上側伸縮パイプ１６を貯湯タンク２の８０℃の高温層の温水を押し出すが、熱交換器３で熱交換して８０℃から５０℃程度に冷却された温水は、下側伸縮パイプ４は伸ばして、５０℃の温水の中温層に戻して循環させる。これにより、貯湯タンク２の各温水の温度の構成が乱れる、いわゆる「湯の劣化」を防止することも可能になる。
【００３５】
なお、本発明は上述した発明の実施の形態に限定されず、縦型の貯湯タンク２内で該当する温度の温水層から選択的に温水を押し出し、戻して熱交換器３に循環することで、貯湯タンク２の最適な温度層へ熱入力でき、高温の温水がすぐに使用できると共に、熱出力に際して最適な温度の温水を選択的に利用できる構成であれば、図示したような構成に限定されず、本発明の要旨を逸脱しない範囲で種々変更できることは勿論である。
【産業上の利用可能性】
【００３６】
本発明の加熱器内蔵の熱交換器による熱交換方法及び電気温水器は、家庭用温水器に利用するだけでなく、業務用の大型の貯湯タンクを有する縦型電気温水器においても利用することができる。
【符号の説明】
【００３７】
１  電気温水器
２  貯湯タンク
３  熱交換器
４  下側伸縮パイプ
１６  上側伸縮パイプ
１７  加熱器
７２  浴槽
７３  床暖房
【図１】
2011220588.tif 000003
【図２】
2011220588.tif 000004
【図３】
2011220588.tif 000005
【図４】
2011220588.tif 000006
【図５】
2011220588.tif 000007
【図６】
2011220588.tif 000008
【図７】
2011220588.tif 000009